(57)【要約】【課題】保護カバーの経年劣化、あるいは端子部の接触不良による端子部分の過熱により、保護カバーが溶融、発煙・発火するのを防止することができる密閉型圧縮機及びこれを用いた冷凍サイクル装置を提供する。【解決手段】本密閉型圧縮機は、電動機部と圧縮機構部する密閉容器に、電動機部に給電する密封端子を設けるとともに、この密封端子を保護する樹脂製の保護カバーを設け、この保護カバーに保護カバーの温度を検知する温度センサーを備えた無線ＩＣタグを設ける。また、冷凍サイクル装置に密閉型圧縮機を用いる。【選択図】  図１
2009281185.tif 000002
【特許請求の範囲】
【請求項１】
密閉容器内に電動機部と、この電動機部により駆動される圧縮機構部とを収納し、前記密閉容器に前記電動機部に給電する密封端子を設けるとともに、この密封端子を保護する樹脂製の保護カバーを備えた密閉型圧縮機において、前記保護カバーに保護カバーの温度を検知する温度センサーを備えた無線ＩＣタグを設けたことを特徴とする密閉型圧縮機。
【請求項２】
前記無線ＩＣタグを前記保護カバーに埋設したことを特徴とする請求項１に記載の密閉型圧縮機。
【請求項３】
請求項１または２に記載の密閉型圧縮機と、凝縮器と、膨張装置と、蒸発器とを備え、前記温度センサーにより検知された保護カバーの温度が所定温度以上になったときに前記密閉型圧縮機の運転を停止する制御手段を具備したことを特徴とする冷凍サイクル装置。
【発明の詳細な説明】
【技術分野】
【０００１】
本発明は密閉型圧縮機およびこれを用いた冷凍サイクル装置に係り、特に密封端子を保護する保護カバーの温度を検知可能にした密閉型圧縮機およびこれを用いた冷凍サイクル装置に関する。
【背景技術】
【０００２】
一般に、空気調和機や冷蔵庫などに用いる密閉型圧縮機には、電動機部に給電する密封端子が設けられ、さらに、この密封端子を保護するために、樹脂製の保護カバーを設けている。
【０００３】
しかしながら、従来の密閉型圧縮機は、保護カバーは運転時、密閉ケースを介して比較的高温に曝されるため、経年劣化、あるいは端子部の接触不良による端子部分の過熱により、保護カバーの溶融、発煙・発火を招くおそれがあった。
【０００４】
なお、密閉型圧縮機の異常温度上昇を防止し、その保護を図るために、保護カバーで覆われた端子部に近接して圧縮機温度センサーを設けた密閉型圧縮機が提案されている（例えば、特許文献１参照）。
【０００５】
しかしながら、特許文献１に記載の圧縮機は、圧縮機の温度を検知するものであり、密封端子を保護する保護カバー自身の温度を検知するものではなく、保護カバーの経年劣化、あるいは端子部の接触不良による端子部分の過熱により、保護カバーの溶融、発煙・発火を防ぐことはできない。
【特許文献１】特開２００５−３０８３６０号公報
【発明の開示】
【発明が解決しようとする課題】
【０００６】
本発明は上述した事情を考慮してなされたもので、密閉型圧縮機の保護カバーの経年劣化、あるいは端子部の接触不良による端子部分の過熱により、保護カバーが溶融、発煙・発火するのを防止することができる密閉型圧縮機およびこれを用いた冷凍サイクル装置を提供することを目的とする。
【０００７】
また、密閉型圧縮機の保護カバーの経年劣化、あるいは端子部の接触不良による端子部分の過熱により、保護カバーが溶融、発煙・発火するのを防止することができる密閉型圧縮機を用いた冷凍サイクル装置を提供することを目的とする。
【課題を解決するための手段】
【０００８】
上述した目的を達成するため、本発明に係る密閉型圧縮機は、密閉容器内に電動機部と、この電動機部により駆動される圧縮機構部とを収納し、前記密閉容器に前記電動機部に給電する密封端子を設けるとともに、この密封端子を保護する樹脂製の保護カバーを備えた密閉型圧縮機において、前記保護カバーに保護カバーの温度を検知する温度センサーを備えた無線ＩＣタグを設けたことを特徴とする。
【発明の効果】
【０００９】
本発明の密閉型圧縮機によれば、保護カバーの経年劣化、あるいは端子部の接触不良による端子部分の過熱により、保護カバーが溶融、発煙・発火するのを防止することができる密閉型圧縮機を提供することができる。
【００１０】
本発明の冷凍サイクル装置によれば、保護カバーの経年劣化、あるいは端子部の接触不良による端子部分の過熱により、保護カバーが溶融、発煙・発火するのを防止することができる密閉型圧縮機を用いた冷凍サイクル装置を提供することができる。
【発明を実施するための最良の形態】
【００１１】
本発明の一実施形態に係る密閉型圧縮機及びこれを用いた冷凍サイクル装置について、図面を参照して説明する。
【００１２】
図１は本発明の一実施形態に係る密閉型圧縮機及びこれを用いた冷凍サイクル装置の概念図、図２は本密閉型圧縮機の保護カバー部分を拡大して示す断面図である。
【００１３】
図１及び図２に示すように、本実施形態の冷凍サイクル装置２１は、本密閉型圧縮機１と、凝縮器２２と、膨張装置２３と、蒸発器２４、アキュムレータ２５をサイクル状に連通して形成される。
【００１４】
密閉型圧縮機１は密閉容器２を備えている。この密閉容器２の上部側には電動機部３が収容され、下部側には圧縮機構部４が収容され、電動機部３と圧縮機構部４とは回転軸５を介して連結され、電動機部３により圧縮機構部４が回転駆動される。
【００１５】
電動機部３は、密閉容器２の内面に固定され、巻線３１ａを備えた固定子３１と、この固定子３１の内側に所定の間隙を存して配置され、かつ、回転軸５が固着された回転子３２とを備える。
【００１６】
また、電動機部３は、口出し線３３の端部に設けられたクラスター組立３４を介して、密閉容器２に固着された密封端子３５に接続される。
【００１７】
さらに、密閉容器２の外側において密封端子３５には、運転周波数を可変するインバータ６のリード線７が接続されるとともに、インバータ６は、このインバータ６を制御する制御部８に電気的に接続されている。また、密閉容器２の外面には密封端子３５を取り囲むように金属製の保護枠２ａが固着されており、この保護枠を外側から覆うように樹脂製の保護カバー９が設けられている。
【００１８】
図３及び図４に示すように、保護カバー９は、一辺に円弧部を有する略長方形容器状の空間部９ａと、この空間部９ａに連なる取付枠部９ｂとからなり、空間部９ａの天井部９ｃには、温度センサー１０ａを備えた無線ＩＣタグ１０が長手方向に沿って埋設され、さらに、無線ＩＣタグ１０はＬＳＩ１０ｂとアンテナ部１０ｃを備える。
【００１９】
再び、図１に示すように、制御部８は無線ＩＣタグ１０の検知温度を読み取るＩＣタグリーダ８ａを備える。
【００２０】
一方、圧縮機構部４は、回転軸５の下部に、中間仕切板４１を介して上下に配設されるシリンダ４２、４３を備える。シリンダ４２の上面部には主軸受４４が重ね合わされ、バルブカバー４５とともに取付けボルト４７を介してシリンダ４２に取付固定される。シリンダ４３の下面部には副軸受４８が重ね合わされ、バルブカバー４６とともに取付けボルト４７を介してシリンダ４３に取付固定される。
【００２１】
回転軸５は、中途部と下端部が主軸受４４と副軸受４８に回転自在に枢支されている。さらに、回転軸５の下端面５ａに対向してスラスト受部４９が配置される。
【００２２】
また、密閉容器２の上端部には、吐出管１１が接続され、アキュムレータ２５底部には、吸込管２６、２７が接続される。一方の吸込管２６は密閉容器２とシリンダ４２側部を貫通し、シリンダ室４２ａ、４３ａ内に直接連通する。他方の吸込管２７は密閉容器２を介してシリンダ４３側部を貫通し、シリンダ室４３ａ内に直接連通する。
【００２３】
このように構成された密閉型圧縮機１を備えた冷凍サイクル装置２１は、次のように動作する。
【００２４】
例えば、制御部８は、インバータ６を介して電動機部３に運転信号を送る。通電された電動機部３により、回転軸５が回転駆動され、圧縮運転が行われる。
【００２５】
各シリンダ室４２ａ、４３ａ内で圧縮された高圧の冷媒ガスはバルブカバー４５、４６を介して密閉容器２内に吐出され、さらに、密閉容器２上部の吐出管１１から吐出される。
【００２６】
密閉容器２から吐出管１１を介して吐出される高圧の冷媒ガスは、凝縮器２２に導かれて凝縮液化し、膨張装置２３で断熱膨張し、蒸発器２４で熱交換空気から蒸発潜熱を奪って冷房作用をなす。そして、蒸発したあとの冷媒は、アキュムレータ２５に導かれて気液分離され、再び各吸込管２６、２７から圧縮機構部４に吸込まれてサイクル状の冷媒流路を循環する。
【００２７】
このような冷媒の循環を繰り返し、密閉型圧縮機１が冷媒の圧縮を継続すると、この密閉型圧縮機１内が高温になり、これに伴って、密封端子３５を覆うように密閉容器２に取り付けられた保護カバー９も温度上昇し、経年劣化、あるいは端子部の接触不良による端子部分の過熱により、保護カバー９の溶融、発煙・発火することがある。
【００２８】
このため、冷凍サイクル装置２１の運転中、制御部８に備えられたＩＣタグリーダ８ａが無線ＩＣタグ１０からの検知温度を読み取り、その検知温度が所定温度以上（例えば樹脂の融点）に達したとき、制御部８は密閉型圧縮機１の運転を停止するように制御する。
【００２９】
これにより、保護カバー９の経年劣化、あるいは端子部の接触不良による端子部分の過熱により、樹脂製の保護カバー９の溶融、発煙・発火を未然に防止することができる。
【００３０】
また、温度センサー付きＩＣタグ１０は、樹脂製の保護カバー９に埋め込まれているので、あらためてＩＣタグを取り付ける手間が省けるとともに、保護カバー９の温度を正確かつ迅速に検出することができる。
【００３１】
本実施形態の密閉型圧縮機によれば、保護カバーの経年劣化、あるいは端子部の接触不良による端子部分の過熱により、保護カバーが溶融、発煙・発火するのを防止することができる密閉型圧縮機が実現される。
【００３２】
また、本実施形態の冷凍サイクル装置によれば、保護カバーの経年劣化、あるいは端子部の接触不良による端子部分の過熱により、保護カバーが溶融、発煙・発火するのを防止することができる密閉型圧縮機を用いた冷凍サイクル装置が実現される。
【図面の簡単な説明】
【００３３】
【図１】本発明の一実施形態に係る密閉型圧縮機及びこれを用いた冷凍サイクル装置の概念図。
【図２】本発明の一実施形態に係る密閉型圧縮機の保護カバー部分を拡大して示す断面図。
【図３】本発明の一実施形態に係る密閉型圧縮機に用いる保護カバーの平面図。
【図４】本発明の一実施形態に係る密閉型圧縮機に用いる保護カバーの側面図。
【符号の説明】
【００３４】
１…密閉型圧縮機、２…密閉容器、３…電動機部、３１…固定子、３２…回転子、３３…口出し線、３４…クラスター組立、３５…密封端子、４…圧縮機構部、４２、４３…シリンダ、４２ａ、４３ａ…シリンダ室、４４…主軸受、５…回転軸、６…インバータ、８…制御部、８ａ…ＩＣタグリーダ、９…保護カバー、９ａ…空間部、９ｂ…取付枠部、９ｃ…天井部、１０…無線ＩＣタグ、１０ａ…温度センサー、１０ｂ…ＬＳＩ、１０ｃ…アンテナ部、１１…吐出管、２１…冷凍サイクル装置、２２…凝縮器、２３…膨張装置、２４…蒸発器。
【図１】
2009281185.tif 000003
【図２】
2009281185.tif 000004
【図３】
2009281185.tif 000005
【図４】
2009281185.tif 000006